(57)【要約】      （修正有）【課題】日刊紙、週刊誌、月刊誌、情報誌などを広告文が印刷された封筒に入れて配達および配送することで、購読者または配送先などの広告対象者に前面部に印刷されている広告文が自然にアピールされるようにして所期の広告効果をあげることができる広告用封筒を提供する。【解決手段】所定サイズの広告文が印刷されるように所定領域の広告区画欄１０２が設けられた前面部１０３と、前面部１０３の一側端に開放部が形成されるように前面部の背面縁部に融着され、収容される内容物が確認できるように透明な材質からなる後面部１０５とを備えた封筒１０１。【選択図】図１
0003107328.tif 000002
【実用新案登録請求の範囲】
【請求項１】
広告用封筒において、
所定サイズの広告文が印刷されるように所定領域の広告区画欄が設けられた前面部と、
前記前面部の一側端に開放部が形成されるように前面部の背面縁部に融着され、収容される内容物が確認できるように透明な材質からなる後面部とを含むことを特徴とする広告用封筒。
【請求項２】
前記前面部は、広告文がアピールされるように不透明な材質および不透明な色のいずれか１つで形成されることを特徴とする請求項１に記載の広告用封筒。
【請求項３】
前記前面部の所定位置に透明な材質からなる所定幅のカバー部材の縁部のみを内側に所定の物品が収容された状態に融着してなる物品収容部をさらに含むことを特徴とする請求項１に記載の広告用封筒。
【請求項４】
前記前面部の一側端部においてカバー部材を前面部と後面部に融着し、広告区画欄とカバー部材との間の境界部分にミシン目を形成することを特徴とする請求項１に記載の広告用封筒。
【請求項５】
前記開放部の前面部と後面部に取り付けられ、開放部を開閉するための開閉手段をさらに含むことを特徴とする請求項１に記載の広告用封筒。
【請求項６】
前記開閉手段は、マジックテープ（登録商標）、ファスナー、スナップボタン、ビニールファスナーのいずれか１つであることを特徴とする請求項５に記載の広告用封筒。
【考案の詳細な説明】
【技術分野】
【０００１】
本発明は、広告用封筒（エンベロープ）に関し、日刊紙、週刊誌、月刊誌、情報誌などを、前面部に広告文が印刷された封筒に入れて配達および配送することで、購読者または配送先の広告対象者に前面部に印刷されている広告文が自然にアピールされるようになり、所期の広告効果をあげることができる広告用封筒に関する。
【背景技術】
【０００２】
一般に、新聞などのような日刊紙、週刊誌、月刊誌、情報誌および本などには多くの広告文や広告写真などが掲載されている。
【０００３】
しかし、このような広告文や広告写真などは、広告や情報などに関心を持っている購読者でなければ、ざっと目を通す程度に過ぎないのが現状である。
【０００４】
家庭や会社に毎日配達される新聞を例にして説明する。各新聞社の支局別に管轄（配達）地域が指定されているため、当該地域の住民を広告対象者とする場合、当該地域を管轄する支局に広告のための折り込みチラシを新聞に入れることを要求し、費用を支払うと、家庭や会社に毎日配達される新聞と共に広告チラシが伝達され、新聞購読者が折り込みチラシを見ることにより広告の効果が得られる。
【０００５】
しかし、前述のように、新聞に折り込まれたチラシを関心を持って見る人は限られており、多くの読者は、折り込みチラシを別に分離して廃棄処分している現状である。
【０００６】
従って、広告主が期待するほどの広告効果が得られず、費用を浪費する結果となってしまう。また、読者は、毎日大量のチラシを捨てる煩わしさがあるという問題点がある。
【０００７】
また、新聞、雑誌などの定期刊行物の紙面に掲載する広告を例にして説明する。このような紙面広告は、刊行物の知名度や購読者数によって莫大な費用がかかるが、刊行物内に掲載された広告文や広告写真だけでは購読者の興味を呼び起こすことが難しく、そのため、イベントのような短期間の行事開催を知らせる広告を掲載する場合は、広告にかかる費用に比べて広告の効果が大きくないため、所期の広告効果が達成できないという点から、非効率かつ非経済的である。
【考案の開示】
【考案が解決しようとする課題】
【０００８】
本考案は、前述の問題点を解決するためになされたものであって、本考案の目的は、新聞、雑誌などのような定期刊行物や本などが購読者に配送される場合、配送物よりも先に広告文や広告写真などの広告物が見られるようにすることで、広告の効果を極大化することができる広告用封筒を提供することにある。
【課題を解決するための手段】
【０００９】
前述の目的は、所定サイズの広告文が印刷されるように所定領域の広告区画欄１０２が設けられた前面部１０３と、前記前面部１０３の一側端に開放部１０４が形成されるように前面部１０３の背面縁部に融着され、収容される内容物が確認できるように透明な材質からなる後面部１０５とを含むことを特徴とする広告用封筒１０１によって達成される。
【００１０】
また、前記前面部１０３は、広告文がアピールされるように不透明な材質または不透明な色のいずれか１つで形成されることが好ましく、前記前面部１０３の所定位置に透明な材質からなる所定の幅を有するカバー部材１０６の縁部のみを、内側に所定の物品が収容された状態に融着してなる物品収容部１０７をさらに含む。
【００１１】
また、前記前面部１０３の一側端部においてカバー部材１０６を前面部１０３と後面部１０５に融着するが、広告区画欄１０２とカバー部材１０６との間の境界部分にミシン目を形成することが好ましく、前記開放部１０４の前面部１０３と後面部１０５に取り付けられ、開放部１０４を開閉するための開閉手段をさらに含むことが好ましい。
【００１２】
前記開閉手段は、好ましくは、マジックテープ（登録商標）１０９、ファスナー１１０、スナップボタン１１１、ビニールファスナー１１２のいずれか１つである。
【考案の効果】
【００１３】
本考案によれば、新聞、雑誌、定期刊行物および本などを購読者および配送先に配送する時、これを雨や湿気から保護すると共に、前面部に広告文や広告写真などを印刷することで購読者の視野に広告が必然的に入るようにし、サンプルおよびクーポンや割引チケットなどを封筒に設けられた物品収容物に入れることで購読者や消費者の関心を呼び起こして広告の効果を極大化し、また、物品収容部を切り離した状態で広告区画欄が印刷された本考案の封筒を活用可能とすることで、直接的な広告効果に加えて波及的な効果を図ることができる。
【考案を実施するための最良の形態】
【００１４】
以下、前述のような広告用封筒１０１の構成および作用を添付の図１乃至図７を参照して詳述する。
【実施例】
【００１５】
図１に示されたように、収容物品、即ち、新聞、雑誌、定期刊行物などのサイズに合わせて前面部１０３と後面部１０５が裁断されている。なお、封筒の材質としては、雨に濡れるのを防止し、防湿および防汚を図るためにビニールを用いることが好ましいが、これに限定されるのではない。
【００１６】
また、前記前面部１０３においては、依頼された広告文、広告絵、広告写真などが図１に示されたように広告区画欄１０２に印刷される。なお、前記広告区画欄１０２は、前記広告文、広告絵、広告写真などが収容された内容物の字や絵などと混同され識別できなくなるのを防止するため、できるだけ不透明な色で形成されるが、前記広告区画欄１０２に印刷される広告文、広告絵、広告写真などは、識別が容易な色からなることが好ましい。
【００１７】
また、前記前面部１０３の所定位置（広告区画欄１０２の隣接した側面）には、図１に示されたように透明な材質であり所定の幅を有するカバー部材１０６の縁部を融着させ、内側に収容空間が設けられる物品収容部１０７を形成する。なお、前記カバー部材１０６の融着時は、カバー部材１０６により形成される収容空間に広告製品のサンプル１１４などを挿入した状態で融着することができる。
【００１８】
即ち、図示のように、例えばシャンプーを広告する場合、使い捨てシャンプーなどを挿入した状態に融着することができ、また、映画館、食堂、スーパーマーケットなどのイベントを広告する場合は、クーポンや割引チケット１１４などが挿入された状態でカバー部材１０６を融着させることもできる。
【００１９】
ここで、前記カバー部材１０６の融着は、熱融着、高周波融着などの公知の技術を使用することができ、本考案では、融着方法を限定しない。
【００２０】
また、前述のように前面部１０３の広告区画欄１０２に広告文、広告絵などが印刷され、カバー部材１０６により形成される収容空間に製品サンプル１１４などが融着と同時に挿入されると、後面部１０５の縁部と前面部１０３の縁部とを融着させる。
【００２１】
前記前面部１０３の縁部と後面部１０５の縁部との融着時、いずれか１つの側端は、開放された状態の開放部１０４が形成されるようにして前面部１０３と後面部１０５との融着により形成される内側の収容空間に新聞１１３、定期刊行物１１３などを挿入するようになる。
【００２２】
また、本考案の実施例では、前記カバー部材１０６を前面部１０３および後面部１０５の縁部が融着された状態で、前面部１０３の一端（広告区画欄１０２に隣接した側面でありながら開放部１０４の反対側）に前面部１０３と後面部１０５と同時に融着されるようにし、また、前記カバー部材１０６と広告区画欄１０２との間の境界部分にミシン目１０８を図５および図６に示されたように形成することで、物品収容部１０７を切り離して使用できるようにすることが好ましい。
【００２３】
なお、図７に示されたように、本考案による封筒１０１の開放部１０４に開閉手段を設け、新聞１１３、定期刊行物１１３などの配送後、使用者の必要に応じて書類などを入れて携帯できるようにすることで、広告効果の極大化を図ることができる。
【００２４】
従って、本考案に係る広告用封筒１０１は、図３に示されたように、開放部１０４を介して内部に新聞１１３などを挿入し、図４に示されたように完全に挿入された状態で配送先に配送するところ、購読者または配送先が、封筒１０１内に挿入された内容物（新聞など）１１３を取り出すためには必然的に封筒１０１の表面（広告区画欄１０２および物品収容部１０７）を見ることになる構造であるため、自然に広告の効果をあげることができ、また、広告区画欄１０２上の広告と共に提供される製品のサンプル１１４やクーポン１１４などによって購読者または使用者の関心および視線を集める効果が得られる。
【００２５】
また、前記開放部１０４には、図７に示されたように方向性を有する開閉手段を設けることで、封筒１０１内に収容された物品１１３を取り出すためには必ず広告区画欄１０２、即ち、前面部１０３が購読者の視野に入るようになり、広告の効果を極大化することができる。
【００２６】
即ち、図７に示されたように、ビニールファスナー１１２とファスナー１１０は、方向性を有しないため、単にファスナー１１０を一端から他端に引いて開放するようになるが、マジックテープ（登録商標）１０９やスナップボタン１１１が図７のように前面部１０３側に折り畳み構造にして形成される場合は、封筒１０１の開放時に必然的に前面部１０３を上向きにして開閉手段を開閉するようになるため、購読者が広告文や広告絵などを見ることになる。
【００２７】
また、図５乃至図７は、広告区画欄１０２と物品収容部１０７との間をカバー部材１０６と前面部１０３および後面部１０５とが同時に融着される状態を示すものであり、広告区画欄１０２と物品収容部１０７との間にミシン目１０８を形成して封筒１０１に収容された新聞などとは無関係に物品収容部１０７を切り離すことができるようにし、使用者の必要に応じて広告区画欄１０２が形成される封筒１０１を活用可能とすることで、広告区画欄１０２上の広告文の長期的かつ対外的な広告効果を図ることが好ましい。
【図面の簡単な説明】
【００２８】
【図１】本考案の構造を示した分解斜視図である。
【図２】本考案の物品収容部の後面部を示す外観斜視図である。
【図３】本考案の広告用封筒に所定の物品を収容する状態を示す使用状態図である。
【図４】本考案の広告用封筒に所定の物品を収容された状態を示す図である。
【図５】本考案の実施例による封筒に所定の物品を収容する状態を示す使用状態図である。
【図６】本考案の実施例による封筒に所定の物品が収容された状態を示す図である。
【図７】本考案の実施例を示す使用状態図である。
【符号の説明】
【００２９】
１０１    封筒
１０２    広告区画欄
１０３    前面部
１０４    開放部
１０５    後面部
１０６    カバー部材
１０７    物品収容部
１０８    ミシン目
１０９    マジックテープ（登録商標）
１１０    ファスナー
１１１    スナップボタン
１１２    ビニールファスナー
１１３    新聞、雑誌、本、定期刊行物など
１１４    広告に関連したサンプルおよびクーポンなど
【図１】
0003107328.tif 000003
【図２】
0003107328.tif 000004
【図３】
0003107328.tif 000005
【図４】
0003107328.tif 000006
【図５】
0003107328.tif 000007
【図６】
0003107328.tif 000008
【図７】
0003107328.tif 000009
【手続補正書】
【提出日】平成16年9月10日(2004.9.10)
【手続補正１】
【補正対象書類名】実用新案登録請求の範囲
【補正対象項目名】請求項６
【補正方法】変更
【補正の内容】
【請求項６】
前記開閉手段は、ファスナー、スナップボタン、ビニールファスナーのいずれか１つであることを特徴とする請求項５に記載の広告用封筒。
【手続補正２】
【補正対象書類名】明細書
【補正対象項目名】０００１
【補正方法】変更
【補正の内容】
【０００１】
本考案は、広告用封筒（エンベロープ）に関し、日刊紙、週刊誌、月刊誌、情報誌などを、前面部に広告文が印刷された封筒に入れて配達および配送することで、購読者または配送先の広告対象者に前面部に印刷されている広告文が自然にアピールされるようになり、所期の広告効果をあげることができる広告用封筒に関する。